(57)【要約】【課題】ファイルの収容能力低下を抑えつつ収容物の脱落を防止可能なファイルを提供する。【解決手段】重ねられたシート部１２４ａ，１２４ｂ周縁の一部にシート部１２４ａ，１２４ｂ間の開放部１２６が形成され、該開放部１２６より収容物を挿入して収容することができるクリアファイル１０であって、開放部１２６におけるシート部１２４ｂの少なくとも一つの周縁部に、開放部１２６の少なくとも一部を覆う閉塞片１８０を設けた。【選択図】図１
0003216141.tif 000002
【実用新案登録請求の範囲】
【請求項１】
重ねられたフレキシブルシート周縁の一部に前記フレキシブルシート間の開放部分が形成され、該開放部分より収容物を挿入して収容することができるファイルであって、
前記開放部分におけるフレキシブルシートの少なくとも一つの周縁部に、前記開放部分の少なくとも一部を覆う閉塞片を設けたことを特徴とするファイル。
【請求項２】
前記重ねられたフレキシブルシートの一方は、前記開放部分において前記フレキシブルシートの他方より延在しており、
前記閉塞片は、前記一方のフレキシブルシートにおける延在部分に設けられている
ことを特徴とする請求項１記載のファイル。
【請求項３】
前記閉塞片は、前記延在部分における前記他方のフレキシブルシート側表面に設けられると共に、その一部が前記他方のフレキシブルシートを前記一方のフレキシブルシートとの間に位置付けるよう前記他方のフレキシブルシート上に位置しており、該他方のフレキシブルシートを前記一方のフレキシブルシート側に付勢する
ことを特徴とする請求項２記載のファイル。
【請求項４】
前記重ねられたフレキシブルシートの他方は、前記閉塞片の少なくとも一部が差し込み可能な差し込みスリットが設けられており、
前記閉塞片は、その一部が前記差し込みスリットに差し込まれる
ことを特徴とする請求項１〜請求項３のいずれか１項に記載のファイル。
【請求項５】
前記閉塞片は、半円状のスリットが形成されることにより半円状の差し込み部が形成されており、該差し込み部が前記差し込みスリットに差し込まれる
ことを特徴とする請求項４記載のファイル。
【請求項６】
前記閉塞片は、前記他方のフレキシブルシートとの間で張力が生じるように、前記差し込み部端部と前記差し込みスリット縁とが当接する
ことを特徴とする請求項４または請求項５記載のファイル。
【考案の詳細な説明】
【技術分野】
【０００１】
本考案は、収容物を収容可能なファイル、特にシート状のクリアファイルに関する。
【背景技術】
【０００２】
従来、この種のファイルとしては、下記特許文献１記載の書類の脱落防止用ロック付きファイルが知られている。このファイルは、表面途中に１〜２ヶ所半円的な形状の切り込みを入れ、裏面切り取り部にワンタッチで容易に引っ掛けてロックするようにしたものであり、これにより書類の脱落防止をすると共に、ファイルを開閉することも可能としている。
【先行技術文献】
【特許文献】
【０００３】
【特許文献１】実用新案登録第３１６３９７３号公報
【考案の概要】
【考案が解決しようとする課題】
【０００４】
しかしながら、このファイルは表面途中に半円的な形状の切り込みを設けると共に、裏面に切り取り部を設ける必要があるため、これらの要素を有さない一般的なファイルと比較して収容能力が低下してしまうという問題があった。
【０００５】
そこで、本考案は、このような問題に鑑みてなされたもので、その目的とするところは、ファイルの収容能力低下を抑えつつ収容物の脱落を防止可能なファイルを提供することにある。
【課題を解決するための手段】
【０００６】
上記課題を解決するために、本考案の一態様は、重ねられたフレキシブルシート周縁の一部に前記フレキシブルシート間の開放部分が形成され、該開放部分より収容物を挿入して収容することができるファイルであって、前記開放部分におけるフレキシブルシートの少なくとも一つの周縁部に、前記開放部分の少なくとも一部を覆う閉塞片を設けた。
【考案の効果】
【０００７】
本考案によれば、ファイルの収容能力低下を抑えつつ収容物の脱落を防止可能なファイルを提供することができる。なお、本考案のその他の効果については、以下の考案を実施するための形態の項でも説明する。
【図面の簡単な説明】
【０００８】
【図１】第１の実施形態に係るクリアファイルを模式的に示す概略平面図である。
【図２】図１に示されるＡ−Ａ線断面図である。
【図３】他の形態のクリアファイルを模式的に示す概略平面図である。
【図４】第２の実施形態に係るクリアファイルを模式的に示す概略平面図である。
【図５】第３の実施形態に係るクリアファイルを模式的に示す概略平面図である。
【図６】第４の実施形態に係るクリアファイルを模式的に示す概略平面図である。
【考案を実施するための形態】
【０００９】
＜第１の実施形態＞
以下に添付図面を参照しながら、本考案の好適な第１の実施形態について詳細に説明する。本実施形態においては、本考案に係るファイルをクリアファイルに適用した場合を例にとり説明する。なお、本明細書及び図面において、実質的に同一の機能構成を有する構成要素については、同一の符号を付することにより重複説明を省略する。
【００１０】
本実施形態に係るクリアファイル１０は、ポリプロピレンや硬質塩化ビニールといったプラスチック材料からなる可撓性を有するシート本体１２０が、長手方向中央部１２２で折り曲げられて当該中央部１２２を境に一方側のシート部１２４ａと他方側のシート部１２４ｂとが重ねられることにより、図１に示されるように矩形に形成されている。
【００１１】
矩形となったクリアファイル１０の長手方向両端部には、折り重なった各シート部１２４ａ，１２４ｂが互いに熱溶着または超音波溶着等により溶着された溶着部１４２が形成されている。これによりクリアファイル１０は、１つの周縁部、具体的にはその短手方向一端部（図１中左側）である中央部１２２と対向する端部が開放可能、換言すればシート部１２４ａ，１２４ｂが離間可能となっている。以後、当該開放部分を開放部１２６と称する。クリアファイル１０は、この開放部１２６からシート部１２４ａ，１２４ｂ間に書類やノート等の収容物を収容可能となっている。説明上、中央部１２２と対向する端部を左側端部と称して以後説明を行う。なお、クリアファイル１０の長手方向両端部近傍における一方側のシート部１２４ａには、開放部１２６の開放を容易にするための切欠き１６０がそれぞれ形成されている。
【００１２】
シート部１２４ｂには、その左側端部がシート部１２４ａの左側端部より延在する延在部１２８が形成されており、したがって開放部１２６の縁はシート部１２４ａの左側端部縁と延在部１２８の左側端部縁とにより形成されている。本実施形態に係るクリアファイル１０は、この延在部１２８に、開放部１２６の一部を閉塞可能な閉塞片１８０が設けられている。
【００１３】
閉塞片１８０は、可撓性を有するシート状をなしており、本実施形態においてはシート部１２４ｂと一体的に形成されている。閉塞片１８０は、クリアファイル１０内側、即ちシート部１２４ａ側に折り返され、その左側端部と延在部１２８とに熱溶着または超音波溶着等により溶着された溶着部１４４が形成されることにより、折り返された状態が維持されている。この状態において、閉塞片１８０は、シート部１２４ａ外側とシート部１２４ｂ内側とに当接した状態となる。この閉塞片１８０とシート部１２４ｂとの間にシート部１２４ａの左側端部を挿入することにより、図２に示されるように、シート部１２４ａの左側端部がシート部１２４ｂと閉塞片１８０との間に位置付けられ、これにより閉塞片１８０が撓むこととなるため、その反発力によりシート部１２４ａの左側端部をシート部１２４ｂ側に付勢することができる。
【００１４】
この状態において、閉塞片１８０は、開放部１２６の一部、本実施形態においては略中央を閉塞することができ、収容した収容物の脱落を防止することができる。さらに、前記付勢が生じることにより、閉塞片１８０はシート部１２４ｂとの間でシート部１２４ａの左側端部を挟持することができ、開放部１２６を適度な力で閉塞することが可能となる。なお、閉塞片１８０の他端部（右側端部）をシート部１２４ａ上から離間するよう湾曲させることで閉塞状態を容易に解除することができるため、例えば線ファスナーを用いて開放部分を開閉する既存のファイルと比較して、極めて簡単に開放部１２６の開閉を行うことができる。また、当該既存のファイルと比較して、開放部１２６が閉塞された状態か否かを視覚的に容易に判断することができる。
【００１５】
以上に説明したクリアファイル１０によれば、開放部１２６を閉塞する閉塞片１８０により、クリアファイル１０の収容能力低下を抑えつつ、収容物の脱落防止を可能とすることができる。また、シート部１２４ｂに延在部１２８が形成され、ここに閉塞片１８０が固着されているため、クリアファイル１０の収容能力を維持することができる。
【００１６】
また、クリアファイル１０の落下や搬送状態において、収容物が開放部１２６側に移動したとしても、収容物は閉塞片１８０の固着部分に接触することとなり、閉塞片１８０をシート部１２４ａ上から離間する方向に応力が加わり難いため、脱落防止機能をより確実なものとすることができる。さらに、閉塞片１８０がシート部１２４ｂとの間でシート部１２４ａの左側端部を挟持するように、当該左側端部を付勢するため、収容物が固着部分に接触するに先立って、開放部１２６側に移動した収容物に付勢力を与えることができ、閉塞片１８０の意図しない開放及び収容物の移動を抑制することが可能となる。
【００１７】
また、閉塞片１８０はシート部１２４ａの左側端部を付勢するため、マジックテープ（登録商標）やボタンといった留め具を用いることなく開放部１２６の閉塞状態を維持することができる。さらに、上述したような構成により、製造工程を少ないため、極めて容易に且つ低コストで製造することができる。
【００１８】
以上に説明した本実施形態においては、閉塞片１８０はシート部１２４ｂに一体的に設けられていると説明したが、別体としてシート部１２４ｂに設けるようにしてもよい。これはシート部１２４ａ，１２４ｂにおいても同様であり、例えば互いに色味や表面加工、部材等が異なる２枚のシートを溶着等により連結してシート本体１２０としてもよい。
【００１９】
また、本実施形態については、閉塞片１８０を延在部１２８において溶着したが、これに限定されるものではない。閉塞片１８０は、少なくとも開放部１２６を閉塞可能にその周縁部に設けられていればよいため、例えば延在部１２８を設けずに単に閉塞片１８０をシート部１２４ａ上に位置するよう折り曲げるのみでも、付勢力は生じないものの開放部１２６を閉塞することは可能となる。その他、閉塞片１８０を別体として取り付けるのであれば、例えばシート部１２４ｂの外側面（シート部１２４ａと対向しない面）に固着し、ＶまたはＵ字状に折れ曲がった形態とすることにより、開放部１２６を閉塞することができる。
【００２０】
また、本実施形態においては、閉塞片１８０が１つの開放部１２６に対応して１つ設けられているがこれに限定されるものではなく、当然１つの開放部１２６に対応して複数設けられていてもよい。少なくとも一部のみ開放部１２６を閉塞すれば収容物の落下防止を実現できる。また、クリアファイル１０の長手方向における閉塞片１８０の長さは、図１に示されるような２つの切欠き１６０近傍にまで達する長さとしなくてもよく、より短く又はより長く等を、シート本体１２０の素材や用途、デザイン等に応じて適宜設定すればよい。
【００２１】
本実施形態については、シート本体１２０の長手方向両端部が溶着部１４４が形成されることにより固着されていると説明したが、シート本体のいずれか一方の端部のみが固着され、他方の端部にさらなる開放部が形成されたクリアファイルに本考案を適用してもよい。図３に示されるクリアファイル１０ａは、シート本体１２０の長手方向一端部においても延在部１２８が形成され、当該延在部１２８に溶着部１４４が形成されて閉塞片１８０が溶着されている。これにより、２つの開放部１２６それぞれからの収容物の落下を防止することができる。その他、収容物を収容可能なファイルであれば、様々な形態のものに本考案を適用可能であることは言うまでもなく、マチ付きのファイルに用いてもよい。
【００２２】
＜第２の実施形態＞
上述した第１の実施形態では、閉塞片１８０をシート部１２４ａ上に位置させてその付勢力により開放部１２６を閉塞すると説明した。しかしながら、シート部１２４ａと閉塞片１８０とを係合させるようにし、意図しない閉塞片１８０の開放を確実に防止するようにしてもよい。以下、図４を用いて本実施形態に係るクリアファイルについて説明する。
【００２３】
図４に示されるように、本実施形態に係るクリアファイル１０ｂは、シート部１２４ａの左側端部においてその長手方向に延在するスリット２００ａが形成されている点で、第１の実施形態に係るクリアファイル１０と異なる。このスリット２００ａに閉塞片１８０の先端部１８２を図中右方向に沿って差し込むことにより、シート部１２４ａと閉塞片１８０とが係合することとなる。これにより、閉塞片１８０の先端部１８２がシート部１２４ａ内側に位置するため、開放部１２６の閉塞を強固にすることができると共に、閉塞片１８０の先端部１８２を引っ掛けてしまうといった意図しない閉塞片１８０の開放を確実に防止することができる。なお、スリット２００ａの両端部においては、裂け防止のために円形の孔を設けることが好ましい。
【００２４】
＜第３の実施形態＞
上述した第２の実施形態では、シート部１２４ａにスリット２００ａを設けて閉塞片１８０を差し込むようにしたが、閉塞片１８０に返しを設けてシート部１２４ａと閉塞片１８０とを係合させるようにしてもよい。以下、図５を用いて本実施形態に係るクリアファイルについて説明する。
【００２５】
図５に示されるように、本実施形態に係るクリアファイル１０ｃは、シート部１２４ａの左側端部に、スリット２００ａに代わりスリット２００ｂが形成され、閉塞片１８０にスリット３００ａ及び返し部３０２ａが形成されている点で第２の実施形態に係るクリアファイル１０ｂと異なる。
【００２６】
スリット３００ａは、左方向に湾曲する半円状をなしており、これにより同形状の返し部３０２ａが形成されている。閉塞片１８０により開放部１２６が閉塞された際、この返し部３０２ａをスリット２００ｂに図５中左方向に沿って差し込むことにより、第２の実施形態に係るクリアファイル１０ｂとは逆方向に返し部３０２ａが差し込まれる形となる。そのため、閉塞片１８０の図中左方向への移動を制限することができる。したがって、開放部１２６の閉塞を強固にすることができると共に、意図しない閉塞片１８０の開放を確実に防止することができる。なお、スリット２００ｂと同様に、スリット３００ａの両端部においては、応力集中による裂け防止のために円形の孔を設けることが好ましい。
【００２７】
＜第４の実施形態＞
上述した第３の実施形態では、スリット２００ｂに単に返し部３０２ａを差し込むようにしたが、シート部１２４ａのスリットに閉塞片１８０の返し部を引っ掛けるようにし、これらを強固に係合させるようにしてもよい。以下、図６を用いて本実施形態に係るクリアファイルについて説明する。
【００２８】
図６に示されるように、本実施形態に係るクリアファイル１０ｄは、シート部１２４ａの左側端部に、スリット２００ｂに代わりスリット２００ｃが形成され、閉塞片１８０に、スリット３００ａ及び返し部３０２ａに代わりスリット３００ｂ及び返し部３０２ｂが形成されている点で第３の実施形態に係るクリアファイル１０ｃと異なる。
【００２９】
本実施形態においては、スリット２００ｃに返し部３０２ｂが引っ掛かるため、スリット２００ｃの両端部に加わる応力は上述したスリット２００ａや２００ｂと比較して大きい。よって本実施形態に係るスリット２００ｃは、より応力集中を緩和させるために図６中左右方向に幅を有する長方の孔状に形成されており、その両端部のアール形状を大きくとっている。また、スリット２００ｃが孔状に形成されることにより、返し部３０２ｂを容易に差し込み可能となっている。
【００３０】
スリット３００ｂは、上述したスリット３００ａと同様に左方向に湾曲する半円状をなしているが、その両端部にスリット３００ａよりも高い応力緩和を実現するために大きく湾曲したアール部３０４ｂが形成されている。閉塞片１８０により開放部１２６が閉塞された際、返し部３０２ｂをスリット２００ｃに図６中左方向に向かって差し込むことにより、返し部３０２ｂのアール部３０４ｂがスリット２００ｃの図中左側縁に当接する。また、シート部１２４ａと閉塞片１８０とを係合させない状態において、アール部３０４ｂの図６中右側端部が、スリット２００ｃの図中左側縁より僅かに左方向に位置するようスリット３００ｂが形成されている。これにより、シート部１２４ａと閉塞片１８０とが係合、即ち返し部３０２ｂのアール部３０４ｂがスリット２００ｃの図中左側縁に当接した状態において、シート部１２４ａと閉塞片１８０との間で張力が生じることとなる。これにより、シート部１２４ａと閉塞片１８０との係合をより強固なものとすることができ、意図しない閉塞片１８０の開放を確実に防止することができる。
【００３１】
なお、スリット２００ｃに代わり、スリット２００ａ，２００ｂを設けるようにしてもよいことは言うまでもない。これは第２、第３の実施形態に係るクリアファイル１０ｂ，１０ｃにおいても同様である。
【００３２】
本考案は、その要旨または主要な特徴から逸脱することなく、他の様々な形で実施することができる。そのため、前述の実施形態は、あらゆる点で単なる例示に過ぎず、限定的に解釈してはならない。本考案の範囲は、実用新案登録請求の範囲によって示すものであって、明細書本文には、何ら拘束されない。更に、実用新案登録請求の範囲の均等範囲に属する全ての変形、様々な改良、代替および改質は、全て本考案の範囲内のものである。
【符号の説明】
【００３３】
１０，１０ａ〜１０ｄ  クリアファイル（ファイル）
１２４ａ，１２４ｂ  シート部（フレキシブルシート）
１２６  開放部（開放部分）
１２８  延在部（延在部分）
１８０  閉塞片
２００ａ〜２００ｃ  スリット（差し込みスリット）
３００ａ，３００ｂ  スリット
３０２ａ，３０２ｂ  返し部（差し込み部）
【図１】
0003216141.tif 000003
【図２】
0003216141.tif 000004
【図３】
0003216141.tif 000005
【図４】
0003216141.tif 000006
【図５】
0003216141.tif 000007
【図６】
0003216141.tif 000008